(57)【特許請求の範囲】
【請求項１】
図書館における図書又は雑誌に関する貸出返却業務を管理するためのサーバコンピュータと、図書又は雑誌毎の資料ＩＤを含む目録情報を登録した目録データベースと、図書館の利用者毎に割り当てられた利用者ＩＤを含む利用者情報と図書又は雑誌の貸出に関する貸出情報とを登録するための閲覧データベースとを備えた図書館における閲覧管理システムにおいて、
前記サーバコンピュータは、図書館における図書又は雑誌に関する貸出返却業務を管理するためのプログラムを記憶した記憶装置と、該プログラムを読み出して実行する制御装置とを備え、
前記制御装置は、前記プログラムを実行することにより、利用者情報を前記閲覧データベースに登録する利用者情報登録手段と、利用者毎に割り当てられた利用者ＩＤを認識する利用者ＩＤ認識手段と、該利用者ＩＤ認識手段により認識された利用者ＩＤに応じた利用者情報を前記閲覧データベースから検索する利用者情報検索手段と、図書又は雑誌毎に割り当てられた資料ＩＤを認識する資料ＩＤ認識手段と、該資料ＩＤ認識手段により認識された資料ＩＤに応じた目録情報を前記目録データベースから検索する目録情報検索手段と、前記利用者情報検索手段により検索された利用者情報と前記目録情報検索手段により検索された目録情報と図書館毎に予め設定された貸出規定とに基づいて貸出の可否を判断する判断手段と、貸出可と判断された場合に、前記利用者ＩＤ，前記資料ＩＤに対応した貸出情報を前記閲覧データベースに登録する貸出情報登録手段とを有し、
前記貸出規定は、利用者に設定された利用者区分コード、図書又は雑誌に設定された所在コード、図書又は雑誌に設定された貸出区分コード、図書又は雑誌の貸出時に指定する貸出種別コードのいずれか複数からなるコードの組み合わせに対して設定され、
前記コードの組み合わせは、前記貸出種別コード及び前記利用者区分コードの組み合わせからなる貸出制限テーブルと、前記貸出種別コード，前記利用者区分コード，前記所在コード，及び前記貸出区分コードの組み合わせからなる貸出条件テーブルとから構成され、
前記制御装置は、前記プログラムを実行することにより、前記貸出制限テーブルに、前記貸出規定として、図書又は雑誌の貸出可能冊数と、返却期限の算出に利用するための貸出日数と、図書又は雑誌の貸出を可能とするかどうかの判断を行うか否かを示す第１の変数と、図書又は雑誌の延滞時に貸出制限を設定するか否かを示す第２の変数とを設定する貸出制限設定手段と、
前記第２の変数に基づき図書又は雑誌の延滞時に貸出制限を設定する場合、利用者に対して図書又は雑誌を新規に貸し出す際に、前記貸出情報に基づき該利用者が延滞中の図書又は雑誌を有すると判断された場合、前記利用者に対する所定期間の貸出可能冊数を、前記延滞中の図書又は雑誌の延滞日数に応じて制限する貸出可能冊数制限手段とを有することを特徴とする図書館における閲覧管理システム。
【請求項２】
請求項１に記載の図書館における閲覧管理システムのサーバコンピュータとしての機能をコンピュータに実行させるためのプログラム。
【請求項３】
請求項２に記載のプログラムを記録したコンピュータ読み取り可能な記録媒体。
【発明の詳細な説明】
【０００１】
【発明の属する技術分野】
本発明は、図書館における閲覧管理システム、プログラム、及び記録媒体、より詳細には、図書又は雑誌の貸出返却、予約の受付、利用者情報の管理など図書館における閲覧業務に必要な機能を提供することができる図書館における閲覧管理システム、プログラム、及び記録媒体に関する。
【０００２】
【従来の技術】
従来、図書館において、例えば図書の目録管理等の図書館業務を行うために図書に関する各種情報を管理する必要があった。近年のコンピュータ及びネットワークをはじめとする情報関連技術のめざましい発展により、図書館においてもコンピュータ等を用いた図書に関する各種情報の取得、管理がなされており、図書館業務における情報の電子化・オンライン化が進められている。
【０００３】
コンピュータ等を用いて図書館における各種情報の管理を実現するための図書館情報管理システムに要求される機能は、大きく、目録管理機能（基本機能）、閲覧管理機能、雑誌管理機能、蔵書点検機能、発注受入機能、相互貸借機能、図書検索機能（ＯＰＡＣ：Ｏｎｌｉｎｅ  Ｐｕｂｌｉｃ  Ａｃｃｅｓｓ  Ｃａｔａｌｏｇｕｅ）等からなり、１つの基本機能及び６つのサブ機能に分類される。
【０００４】
図１１は、図書館情報管理システムに要求される機能の概要を説明するための図である。図書館情報管理システムに要求される機能としては、雑誌管理機１１０、発注受入機能１２０、目録管理機能（基本機能）１３０、図書検索機能（ＯＰＡＣ）１４０、閲覧管理機能１５０、蔵書点検機能１６０、相互貸借機能１７０等の機能がある。
【０００５】
例えば、雑誌のように定期的あるいは非定期的に販売される書物は、通常の図書と区別して管理するほうが好ましく、雑誌管理機能１１０により製本処理１１１や雑誌あるいは該雑誌の製本代金の支払処理１１２を管理する必要がある。また、雑誌及び雑誌以外の図書を発注、受入するために、購入調査処理１１３を行う必要があり、該購入調査処理１１３に基づく雑誌又は図書の発注処理１１４、図書納品後の受入処理１１５、さらには、代金の支払処理１１２，支払処理１２１を管理する必要がある。
【０００６】
目録管理機能（基本機能）１３０は、図書納品後の受入処理１１５の後に、例えば、国立情報学研究所（ＮＩＩ：Ｎａｔｉｏｎａｌ  Ｉｎｓｔｉｔｕｔｅ  ｏｆ  Ｉｎｆｏｒｍａｔｉｃｓ）等の外部機関から提供される目録所在情報サービスの総合目録データベース（以下、ＮＡＣＳＩＳ―ＣＡＴという）に格納された目録情報の利用機能１３１により、図書の目録作成処理１３２を行い、目録作成後、配架場所を定めて配架処理１３４を行う機能を含む。また、これらの処理結果に基づいて蔵書の統計をとる蔵書統計処理１３３の機能も有している。
【０００７】
図書検索機能（資料検索：ＯＰＡＣ）１４０は、図書館の利用者が目録により検索を行うための目録検索処理１４１を行い、目録検索後、利用者は、貸出予約申請処理１４２あるいは文献複写申請処理１４３を行う。閲覧管理機能１５０は、利用者管理機能１５１により図書館の利用者を管理し、その利用者管理機能１５１による利用者情報及び図書の配架処理１３４による所蔵情報に基づいて図書の貸出返却処理１５２を行う。さらに、利用者管理機能１５１、貸出返却処理１５２、予約管理機能１５３の全てあるいは一部の情報に基づき利用統計をとる利用統計処理１５４の機能も有している。
【０００８】
蔵書点検機能１６０は、貸出返却処理１５２の情報に基づいて蔵書点検処理１６１を行う。また、相互貸借機能１７０は、図書検索機能１４０における文献複写申請処理１４３に基づいて、例えば、前述した国立情報学研究所等の外部機関から提供される図書館間相互貸借サービスの相互貸借データベース（以下、ＮＡＣＳＩＳ―ＩＬＬという）に格納された依頼情報、受付情報の利用機能１７１等により、他の図書館で管理している図書の複写を行う。さらに、貸出予約申請処理１４２により他の図書館で管理している図書を貸借することもできる。
【０００９】
図書館情報管理システムに要求される上述のごとき機能は、通常、機能毎に独立したシステムが存在し、図書館業務を行う図書館員は、機能毎に別々に操作を行うことになる。また、図書館情報管理システムにおいて、例えば、書名、著者名、出版者等といった図書の書誌データは、各図書館のローカルなデータベースで管理されている。以下、このようなデータベースのことをローカルデータベースという。
【００１０】
また、例えば、ＮＡＣＳＩＳ―ＣＡＴやＮＡＣＳＩＳ―ＩＬＬといったデータベースは、複数の図書館が共同して利用することができ、ネットワーク接続が可能である。以下、このようなデータベースのことをホストデータベースという。これらのホストデータベースは、書誌情報等をコンピュータで効率よく扱える形式で提供が可能なので、これを利用することにより書誌データの入力を省力化できる。ホストデータベースから、前述したローカルデータベースにデータをコピーし、登録（ローカル登録）することをダウンロードといい、その逆に、ローカルデータベースからホストデータベースにデータを登録することをアップロードという。
【００１１】
しかしながら、従来の図書館情報管理システムにおける閲覧管理機能は、図書又は雑誌の貸出返却処理や予約管理、利用者管理、各種利用統計の作成など閲覧管理の機能を提供可能であるものの、各機能における有機的な連携が図られておらず、システムとしての効率的な運用が十分になされていなかった。上記閲覧管理機能は、図書館の利用者サービスの運営方針に大きく依存するものであり、図書館は、例えば、どのような資料を貸し出せるのか、延滞者に対する罰則を設けるのか、利用者に対しどの機能を公開するのか、といった利用者サービスの運営方針に沿ったシステムを効率的に運営していく必要がある。
【００１２】
【発明が解決しようとする課題】
本発明は、上述のごとき実情に鑑みてなされたものであり、図書又は雑誌の貸出返却処理や予約管理、利用者管理等の閲覧業務に関する機能を有機的に連携させ、かつ、図書館における利用者サービスの運営方針に合わせて各機能を効率的に提供することができる図書館における閲覧管理システム、該閲覧管理システムとしての機能をコンピュータに実行させるプログラム、及び該プログラムを記録したコンピュータ読み取り可能な記録媒体を提供すること、を目的としてなされたものである。
【００１３】
【課題を解決するための手段】
請求項１の発明は、図書館における図書又は雑誌に関する貸出返却業務を管理するためのサーバコンピュータと、図書又は雑誌毎の資料ＩＤを含む目録情報を登録した目録データベースと、図書館の利用者毎に割り当てられた利用者ＩＤを含む利用者情報と図書又は雑誌の貸出に関する貸出情報とを登録するための閲覧データベースとを備えた図書館における閲覧管理システムにおいて、前記サーバコンピュータは、図書館における図書又は雑誌に関する貸出返却業務を管理するためのプログラムを記憶した記憶装置と、該プログラムを読み出して実行する制御装置とを備え、前記制御装置は、前記プログラムを実行することにより、利用者情報を前記閲覧データベースに登録する利用者情報登録手段と、利用者毎に割り当てられた利用者ＩＤを認識する利用者ＩＤ認識手段と、該利用者ＩＤ認識手段により認識された利用者ＩＤに応じた利用者情報を前記閲覧データベースから検索する利用者情報検索手段と、図書又は雑誌毎に割り当てられた資料ＩＤを認識する資料ＩＤ認識手段と、該資料ＩＤ認識手段により認識された資料ＩＤに応じた目録情報を前記目録データベースから検索する目録情報検索手段と、前記利用者情報検索手段により検索された利用者情報と前記目録情報検索手段により検索された目録情報と図書館毎に予め設定された貸出規定とに基づいて貸出の可否を判断する判断手段と、貸出可と判断された場合に、前記利用者ＩＤ，前記資料ＩＤに対応した貸出情報を前記閲覧データベースに登録する貸出情報登録手段とを有し、前記貸出規定は、利用者に設定された利用者区分コード、図書又は雑誌に設定された所在コード、図書又は雑誌に設定された貸出区分コード、図書又は雑誌の貸出時に指定する貸出種別コードのいずれか複数からなるコードの組み合わせに対して設定され、前記コードの組み合わせは、前記貸出種別コード及び前記利用者区分コードの組み合わせからなる貸出制限テーブルと、前記貸出種別コード，前記利用者区分コード，前記所在コード，及び前記貸出区分コードの組み合わせからなる貸出条件テーブルとから構成され、前記制御装置は、前記プログラムを実行することにより、前記貸出制限テーブルに、前記貸出規定として、図書又は雑誌の貸出可能冊数と、返却期限の算出に利用するための貸出日数と、図書又は雑誌の貸出を可能とするかどうかの判断を行うか否かを示す第１の変数と、図書又は雑誌の延滞時に貸出制限を設定するか否かを示す第２の変数とを設定する貸出制限設定手段と、前記第２の変数に基づき図書又は雑誌の延滞時に貸出制限を設定する場合、利用者に対して図書又は雑誌を新規に貸し出す際に、前記貸出情報に基づき該利用者が延滞中の図書又は雑誌を有すると判断された場合、前記利用者に対する所定期間の貸出可能冊数を、前記延滞中の図書又は雑誌の延滞日数に応じて制限する貸出可能冊数制限手段とを有することを特徴としたものである。
【００１４】
請求項２の発明は、請求項１の発明における図書館における閲覧管理システムのサーバコンピュータとしての機能をコンピュータに実行させるためのプログラムである。
【００１５】
請求項３の発明は、請求項２の発明におけるプログラムを記録したコンピュータ読み取り可能な記録媒体である。
【００３６】
【発明の実施の形態】
図１は、本発明の一実施形態に係わる図書館情報管理システムの全体構成を示す図で、図中、１０は図書館で、該図書館１０は、図書館業務を管理するためのサーバ装置１１、図書館業務に係わる各種データを格納する業務データベース１２（以下、業務ＤＢという）、図書館員が業務に使用する図書館員側クライアント装置１４、図書館の利用者が使用する利用者側クライアント装置１５、利用者が図書又は雑誌の目録情報を検索するための検索ＤＢ１６とを有する。２０は国立情報学研究所で、該国立情報学研究所２０は、ＮＡＣＳＩＳ―ＣＡＴ（総合目録ＤＢ）２１を有し、３０はネットワークである。本実施形態では説明のために、業務ＤＢ１２と検索ＤＢ１６とをそれぞれ独立したＤＢとして示しているが、１つのＤＢにこれら２つのＤＢをまとめた形態としてもよい。また、サーバ装置を業務ＤＢ１２、検索ＤＢ１６それぞれの機能に応じてＤＢ毎に設ける形態としてもよい。本実施形態において業務ＤＢ１２がローカルデータベースとなり、ＮＡＣＳＩＳ―ＣＡＴ２１がホストデータベースとなる。
【００３７】
本実施形態において、サーバ装置１１は、ＮＡＣＳＩＳ―ＣＡＴ２１とネットワーク３０を介して接続され、業務ＤＢ１２、検索ＤＢ１６にアクセス可能とし、各クライアント装置１４，１５と図書館内のＬＡＮ（Ｌｏｃａｌ  Ａｒｅａ  Ｎｅｔｗｏｒｋ）等専用回線を介して接続されている。また、ネットワーク３０を介して接続される外部機関は、上記国立情報学研究所２０に限定されず、該国立情報学研究所２０が有する総合目録ＤＢと同様な目録所在情報サービス等を提供できる外部機関であればネットワーク接続することが可能である。
【００３８】
また、本実施形態では、サーバ装置１１、業務ＤＢ１２及び検索ＤＢ１６とが、図書館側に設置されているものとして説明するが、サーバ装置１１が、各クライアント装置にネットワークを介して接続されていればよく、必ずしも図書館に設置されている必要はなく、例えば、本図書館情報管理システムをＡＳＰ（Ａｐｐｌｉｃａｔｉｏｎ  Ｓｅｒｖｉｃｅ  Ｐｒｏｖｉｄｅｒ）により提供する提供業者の会社等に設置されていてもよい。この場合、ＡＳＰ提供業者が有するサーバ装置（図示せず）は、後述するサーバ装置１１が有する各手段をアプリケーションとしてネットワーク３０を介して提供するサービスを図書館の各クライアント装置に対して提供できる機能を備えるものとする。
【００３９】
さらに、本図書館情報管理システムの実施形態として、サーバ装置１１に業務ＤＢ１２及び検索ＤＢ１６が物理的に含まれている場合や、ネットワークを介して接続され、物理的に離散している場合のどちらの形態も取りうる。サーバ装置１１には、後述する各手段が有する機能を実行するためのプログラムが格納されていればよい。これらのプログラムには、後述する各手段を図書館員又は利用者が使用する際に、操作が容易になるようにＧＵＩ（グラフィカルユーザインタフェイス）を備えるようにするとよい。
【００４０】
また、本発明における各実施形態の説明に際し、サーバ装置１１を１つの装置として示しているが、上述のごとくネットワークを介してサーバ装置１１の各機能を分散させてもよい。また、各クライアント装置は、ディスクトップ型パーソナルコンピュータとして図示しているが、ネットワーク接続可能な携帯電話やモバイルコンピュータであってもよく、使用形態に応じた形態であればよい。また、図書館情報管理システムを利用可能なクライアント装置を複数台設置する場合、例えばＬＡＮ等によりネットワーク接続される必要がある。
【００４１】
また、図１に示すネットワーク３０としては、有線、無線に限らず専用回線、電話回線等で接続されたインターネットや、インターネット技術を利用したイントラネットの形態でもよく、さらには、専用回線を使用する場合でもＷＡＮ（Ｗｉｄｅ  Ａｒｅａ  Ｎｅｔｗｏｒｋ）やＭＡＮ（Ｍｅｔｒｏｐｏｌｉｔａｎ  Ａｒｅａ  Ｎｅｔｗｏｒｋ）に限らず、サーバ装置１１の設置場所によっては、ＬＡＮで構成される形態もとりうる。また、このネットワーク３０には、専用回線の使用、伝送データの暗号化、各クライアント装置を使用するユーザの認証等、様々な方法によるセキュリティの強化が必要となる。
【００４２】
図２は、本発明に係わる図書館情報管理システムにおけるデータベースと各サブシステムとの関係を説明するための図である。サーバ装置１１は、各機能に応じて７つのサブシステムからなり、発注受入サブシステム１１ａ、目録管理サブシステム（基本システム）１１ｂ、雑誌管理サブシステム１１ｃ、相互貸借サブシステム１１ｄ、閲覧管理サブシステム１１ｅ、蔵書点検サブシステム１１ｆ、図書検索サブシステム１１ｇとを有する。本図書館情報管理システムにおける図書検索サブシステム１１ｇは、その検索対象とする目録情報に関する目次情報やイメージ情報の提供を可能とする電子図書館機能を含むものとする。また、業務ＤＢ１２は、図書館員のみが業務に使用するＤＢであって、図書館の利用者がアクセスして、検索や編集をすることはできない。この業務ＤＢ１２には、図書館員が業務で作成、変更するデータが全て登録される。この業務ＤＢ１２は、複数のＤＢからなり、購入依頼ＤＢ１２ａ、目録ＤＢ１３、相互貸借ＤＢ１２ｄ、閲覧ＤＢ１２ｅ、点検ＤＢ１２ｆ、コード表ＤＢ１２ｇ、予算ＤＢ（図示せず）とを有し、さらに目録ＤＢ１３は、図書目録ＤＢ１２ｂ及び雑誌目録ＤＢ１２ｃからなる。また、検索ＤＢ１６は、図書館の利用者に対して目録検索サービスを提供し、その目録検索サービスに関する目次情報、イメージ情報を提供可能とするものである。本システムは、上記７つのサブシステムを有機的に連携させ、１つのシステムとしてまとめたものを総合図書館情報管理システムとして提供可能とするものであり、この総合図書館情報管理システムにより、基幹業務から利用者サービスまで含む総合的な図書館業務を行うことが可能となる。
【００４３】
購入依頼ＤＢ１２ａは、利用者からの図書購入の申し込み情報を管理している。この購入依頼ＤＢ１２ａに登録された申し込み情報を参照し、該申し込み情報に対応する図書を購入するかどうか検討し、検討した結果、購入が決まった図書は、購入依頼ＤＢ１２ａに登録された申し込み情報に基づき発注受入サブシステム１１ａにより発注情報が生成される。
【００４４】
図書目録ＤＢ１２ｂは、書誌データや所蔵データ等の図書に関する目録情報と、図書の発注情報とを管理している。この図書に関する目録情報は、本図書館情報管理システムの各サブシステムが共通で使用することができる。また、雑誌目録ＤＢ１２ｃは、書誌データや所蔵データ、巻号データ、コピーデータ等の雑誌に関する目録情報と、雑誌の発注情報と、雑誌製本の発注情報とを管理している。この雑誌に関する目録情報は、本図書館情報管理システムの各サブシステムが共通で使用することができる。雑誌の場合、未製本雑誌、製本雑誌ともにコピーデータの管理対象となる。ここで、製本とは、複数冊の未製本雑誌を１冊にまとめる処理のことをいう。
【００４５】
ここで、図書における目録情報は、図書の書名や出版者等の書誌データ、図書毎の資料ＩＤ、所在等を含む物理的な図書１冊毎の所蔵データとから構成され、図書の発注情報は、１件の発注毎に発注番号、購入冊数、価格、購入を申し込んだ利用者等の情報を含むものである。また、雑誌における目録情報は、雑誌の誌名や出版者等の書誌データ、雑誌の所在毎に所蔵している巻号の情報をまとめた所蔵データ、発行年月や巻号番号等の雑誌の巻又は号に共通する巻号データ、物理的な雑誌１冊毎の所在を含むコピーデータ（図書の所蔵データに対応する）とから構成され、雑誌の発注情報は、発注する雑誌１部毎に発注番号、契約期間、価格、購入を申し込んだ利用者等の情報を含むものである。同一の雑誌を複数部数購入する場合、発注データは発注する部数分作成される。また、雑誌製本発注情報は、製本する雑誌１部毎に発注番号、発注先、製本サイズ、製本発注日、製本を申し込んだ利用者等の情報を含むものである。
【００４６】
上述したように本図書館情報管理システムは、目録情報を大きく、図書（単行書）と雑誌（逐次刊行物）に分類して目録を管理している。これにより、図書と雑誌で異なるデータ構造で管理することができ、より正確、かつ、効率的に目録情報の検索を行うことを可能とする。
【００４７】
相互貸借ＤＢ１２ｄは、図書又は雑誌（各種文献等を含む）の貸借や複写の依頼情報、受付情報を管理している。ＮＡＣＳＩＳ―ＩＬＬを経由した依頼情報や受付情報と、ＮＡＣＳＩＳ―ＩＬＬを経由しない依頼情報や受付情報とを一緒に管理することができる。また、閲覧ＤＢ１２ｅは、図書又は雑誌の貸出情報、予約情報、及び利用者情報を管理している。これらの貸出情報、予約情報、利用者情報は全て閲覧ＤＢ１２ｅで生成、編集される。ここで、貸出情報は、貸し出した資料の書名や資料ＩＤ、借りた利用者の氏名や利用者ＩＤ、貸出種別、返却予定日等を管理し、予約情報は、予約がかけられた資料の書名や資料ＩＤ、予約者の氏名や利用者ＩＤ、予約の種類、予約の状態等を管理し、利用者情報は、利用者ＩＤや氏名、利用者区分、利用者にかけられているペナルティ等を管理するものである。
【００４８】
また、点検ＤＢ１２ｆは、図書又は雑誌の点検業務を行う際に、図書目録ＤＢ１２ｂ及び雑誌目録ＤＢ１２ｃから点検に必要な情報を抽出して生成される点検情報を管理するもので、この点検情報により点検対象の目録情報と点検履歴等の情報が管理される。コード表ＤＢ１２ｇは、本図書館情報管理システムの各サブシステムやシステム全体が使用する共通のコードを管理する。また、検索ＤＢ１６は、図書館の利用者が図書又は雑誌を検索する際に必要な目録情報や目次情報等を業務ＤＢ１２の中から抽出し、効率よく検索ができるデータ形式に変換して登録するためのもので、業務ＤＢ１２からのデータ登録や更新を夜間に自動的に行うことができる。
【００４９】
図３は、本発明の一実施形態に係わる図書館における閲覧管理サブシステム１１ｅの構成を示す図で、業務ＤＢ１２は、図書目録ＤＢ１２ｂ及び雑誌目録ＤＢ１２ｃからなる目録ＤＢ１３と、閲覧ＤＢ１２ｅとを有している。本実施形態には、閲覧管理サブシステム１１ｅの機能について説明するために目録ＤＢ１３及び閲覧ＤＢ１２ｅのみ示しているが、前述の図２に示した他の各ＤＢを有する総合図書館情報管理システムとしての形態をとることが可能なことは言うまでもない。本実施形態において、サーバ装置１１は、ＮＡＣＳＩＳ―ＣＡＴ２１とネットワークを介して接続され、業務ＤＢ１２，検索ＤＢ１６にアクセス可能とし、各クライアント装置１４，１５と図書館内のＬＡＮ等専用回線を介して接続されている。
【００５０】
図４は、閲覧管理サブシステム１１ｅにおける貸出機能を実行するサーバ装置１１の構成例を示す図で、サーバ装置１１は、利用者情報登録手段１１ｅ1、利用者ＩＤ認識手段１１ｅ2、利用者情報検索手段１１ｅ3、資料ＩＤ認識手段１１ｅ4、目録情報検索手段１１ｅ5、貸出情報生成手段１１ｅ6、貸出情報登録手段１１ｅ7、貸出管理手段１１ｅ8、貸出制限設定手段１１ｅ9、貸出条件設定手段１１ｅ10、返却期限登録手段１１ｅ11、判断手段１１ｅ12、貸出停止期間設定手段１１ｅ13、貸出可能冊数制限手段１１ｅ14、ペナルティレベル設定手段１１ｅ15、ペナルティ情報登録手段１１ｅ16、督促メール送信手段１１ｅ17とを有している。以下、閲覧管理サブシステム１１ｅが有する貸出返却処理、予約処理の各機能について説明する。
【００５１】
本閲覧管理サブシステム１１ｅは、図書又は雑誌の貸出や返却、予約の受付など、図書館のカウンタ業務に必要な機能を提供するものであり、各機能は有機的に連携し、常に更新された最新情報を用いて利用者サービスを行うことができる。本閲覧管理サブシステム１１ｅでは、例えば、利用者にどのように図書又は雑誌を貸し出すか、といった図書館における利用者サービスの規定を貸出規定として予め登録しておき、その貸出規定を参照することにより、効率的な貸出処理を行うことが可能である。
【００５２】
サーバ装置１１が有する利用者情報登録手段１１ｅ1は、利用者情報を閲覧ＤＢ１２ｅに登録する手段であり、利用者ＩＤ認識手段１１ｅ2は、利用者毎に割り当てられた利用者ＩＤを認識する手段である。利用者情報検索手段１１ｅ3は、利用者ＩＤ認識手段１１ｅ2により認識された利用者ＩＤに応じた利用者情報を閲覧１２ｅから検索する手段であり、資料ＩＤ認識手段１１ｅ4は、図書又は雑誌毎に割り当てられた資料ＩＤを認識する手段であり、目録情報検索手段１１ｅ5は、資料ＩＤ認識手段１１ｅ4により認識された資料ＩＤに応じた目録情報を目録ＤＢ１３から検索する手段である。貸出情報生成手段１１ｅ6は、利用者情報検索手段１１ｅ3により検索された利用者情報と、目録情報検索手段１１ｅ5により検索された目録情報とに基づき貸出情報を生成する手段であり、貸出情報登録手段１１ｅ7は、生成した貸出情報を閲覧ＤＢ１２ｅに登録する手段である。
【００５３】
利用者は、貸出を希望する図書又は雑誌（以下、しばしば資料という）を借りる際に、図書館の貸出カウンタに資料を持参する。貸出カウンタの図書館員は、利用者が有する利用者証に貼付された利用者ＩＤを含むバーコードと、持参した資料に貼付された資料ＩＤのバーコードをバーコードリーダ等の読取装置により読み取る。サーバ装置１１は、読み取った利用者ＩＤに基づいて閲覧ＤＢ１２ｅを検索し、その利用者の利用者区分や現在のペナルティ状況などの情報を参照する。また、読み取った資料ＩＤに基づいて図書目録Ｄ１２ｂや雑誌目録ＤＢ１２ｃを検索し、その資料の貸出区分や所在情報を参照する。サーバ装置１１は、これらの情報と、貸出カウンタで設定した、例えば一般貸出等の貸出種別などを利用し、さらに予め決められた貸出規定を参照して、その利用者に対する資料の貸出可否の判断や、返却予定日を算出することができる。貸出が可能と判断された場合、利用者ＩＤ、資料ＩＤ、返却予定日等に基づき貸出情報を生成し、生成した貸出情報を閲覧ＤＢ１２ｅに登録する。
【００５４】
また、貸出管理手段１１ｅ８は、予め決められた貸出規定と、貸出情報登録手段１１ｅ7により登録された貸出情報とに基づいて利用者に対する図書又は雑誌の貸出を管理する手段である。
【００５５】
ここで、図書館は、その図書館において決められた規則に従い、貸出可能冊数や返却期限等を越えない範囲で貸出を行う。貸出規定とは、上記規則のことをいい、本閲覧管理サブシステム１１ｅは、以下に示す４つのコードの組み合わせにより、どのような貸出を行うかを定義するものである。
１）利用者に設定された利用者区分コード、これは、例えば、学部学生、大学院生、教員等利用者の身分を表すものである。
２）資料に設定された所在コード、これは、資料の所在を示すもので、例えば、図書館開架、研究室、書庫等がある。
３）資料に設定された貸出区分コード、これは、例えば、一般図書、指定図書、禁帯出等、資料の取り扱いを表すものである。
４）貸出時に指定する貸出種別コード、これは、貸出カウンタで図書館員が貸出時に指定するもので、例えば、一般貸出、研究室貸出、卒論用貸出等がある。
【００５６】
さらに、本閲覧管理サブシステム１１ｅでは、上記貸出規定を貸出制限テーブルと、貸出条件テーブルとに区別して定義する。貸出制限テーブルは、上記の「貸出種別コード」と「利用者区分コード」との組み合わせに対して貸出可能冊数や返却期限等を定義する。また、貸出条件テーブルは、上記の「貸出種別コード」及び「利用者区分コード」に加えて、「貸出区分コード」と、「所在コード」とを含んだ組み合わせに対して延滞回数等を定義する。本閲覧管理サブシステム１１ｅは、図書館の運用形態に応じて貸出制限テーブルのみで運用することも可能である。
【００５７】
サーバ装置１１が有する貸出制限設定手段１１ｅ9は、貸出制限テーブルに設定する貸出規定として、図書又は雑誌の貸出可能冊数、返却期限の算出に利用するための貸出日数、図書又は雑誌の貸出を可能とするかどうかの判断を行うか否かを示す貸出可否チェックフラグ、図書又は雑誌の延滞時に貸出制限を設定するか否かを示すペナルティフラグ等を設定することができる。また、貸出条件設定手段１１ｅ10は、貸出条件テーブルに設定する貸出規定として、返却期限の算出に利用するための貸出日数、図書又は雑誌の貸出における延長可能回数等を設定することができる。さらに、サーバ装置１１は、返却期限登録手段１１ｅ11を有しており、貸出制限設定手段１１ｅ9又は貸出条件設定手段１１ｅ10により設定された貸出日数に基づいて返却期限を算出し、算出した返却期限を貸出情報に含めて閲覧ＤＢ１２ｅに登録することができる。
【００５８】
本閲覧管理サブシステム１１ｅは、図書館の休館日を設定したり、編集することが可能である。設定した休館日は、前述の返却期限の算出などに使用される。また、図書検索サブシステム１１ｇにより図書館の利用者は、図書館の休館日を参照することができる。
【００５９】
図５は、本発明に係わる貸出制限テーブルの一例を示す図で、図中、４０は貸出制限テーブルで、該貸出制限テーブル４０は、貸出種別コード４１、利用者区分コード４２、貸出冊数４３、貸出可否チェック４４、貸出日数４５、返却日付４６、一覧表示４７，ペナルティフラグ４８、返却日変更フラグ４９、予約可否５０、ＯＰＡＣ（ＯＰＡＣ：図書検索）表示５１の項目を有している。
【００６０】
貸出制限テーブル４０は、貸出種別コード４１及び利用者区分コード４２の組み合わせに対して各規定が設定される。貸出制限テーブル４０に登録されていない組み合わせに対しては貸出を行わない。貸出冊数４３は、貸出種別コード４１と利用者区分コード４２の所定の組み合わせ毎に設定された貸出可能冊数を示す。貸出可否チェック４４は、貸出条件テーブルを使用して貸出可否チェックを行うかどうかのフラグを示す。「０」を指定すると、貸出条件テーブルを使用して貸出可否チェックを行う。「１」を指定すると、貸出条件テーブルを使用しないで、貸出制限テーブル４０のみで貸出の可否や貸出冊数、返却期限等を決める。ここで、フラグを「１」に指定すると、資料の貸出は可能で、貸出延長は不可となる。貸出日数４５は、貸出可否チェック４４でフラグを「１」に指定した場合にのみ、返却期限の算出に利用される。返却日付４６は、貸出可否チェック４４でフラグを「１」に指定した場合にのみ、返却期限の算出に利用される。この返却日付４６の日付が返却予定日となる。ここで、貸出日数４５と返却日付４６の両方を設定した場合、どちらか遅いほうの返却期限が採用される。
【００６１】
一覧表示４７は、貸出処理のために利用者ＩＤを入力した際に、その利用者が同じ貸出種別で借りている資料を表示するかどうかのフラグで、「０」を指定すると、貸出中の資料を表示し、「１」を指定すると、表示されない。ペナルティフラグ４８は、延滞日数に応じてペナルティとして貸出制限を設定するかどうかを示すもので、貸出制限テーブル４０に登録された組み合わせで貸し出した資料を延滞した場合に、ペナルティの対象とするかどうかを示している。「０」を指定すると、資料を延滞した場合にペナルティの対象となり、「１」を指定すると、資料を延滞してもペナルティの対象にはならず、図書の貸出が可能である。
【００６２】
返却日変更フラグ４９は、資料を貸し出す際に返却予定日を修正可能かどうか示すもので、「０」を指定すると、返却予定日を入力することはできない。「１」を指定すると、返却予定日を入力することが可能となる。予約可否５０は、資料が貸出中の場合に、この資料に対して予約できるかどうかを示すもので、「０」を指定すると、予約が可能となり、「１」を指定すると、予約することはできない。ＯＰＡＣ表示５１は、資料が貸出中の場合に、資料の状態を図書検索（ＯＰＡＣ）サブシステム１１ｇで表示する際の文字列を指定するためのもので、何も指定されてない場合、返却予定日を表示する。
【００６３】
ここで、貸出制限テーブル４０中に示す組み合わせのうち、貸出種別コード４１が「０１：一般」で、利用者区分コード４２が「００１：学生」の場合を例に具体的に説明する。本例に示す組み合わせの場合、５冊まで貸出が可能である。貸出可否チェック４４が「０」に設定されているので、貸出条件テーブルを利用して返却期限の算出や、貸出延長の可否について判断を行う。また、一覧表示４７が「０」に設定されているので、貸出時に同じ貸出種別コードで貸出中の資料の一覧が表示される。ペナルティフラグ４８が「０」に設定されているので、資料を延滞した場合、ペナルティの対象となる。本例の組み合わせによると、貸出中の資料に予約をかけることが可能である。また、図書検索サブシステム１１ｇで検索した場合、資料の情報として返却予定日が表示される。
【００６４】
図６は、本発明に係わる貸出条件テーブルの一例を示す図で、図中、６０は貸出条件テーブルで、該貸出条件テーブル６０は、貸出種別コード４１、利用者区分コード４２、貸出区分コード６１、所在コード６２、貸出日数６３、返却日付６４、延長回数６５，延長日数６６の項目を有している。
【００６５】
貸出条件テーブル６０は、貸出種別コード４１及び利用者区分コード４２の組み合わせに加えて、貸出区分コード６１、所在コード６３を含んだ組み合わせに対して各規定が設定される。貸出条件テーブル６０に登録されていない組み合わせに対しては貸出を行わない。貸出制限テーブル４０で貸出可否をチェックするように指定した場合、この貸出条件テーブル６０を定義しておく必要がある。
【００６６】
貸出日数６３及び返却日付６４は、返却期限の算出に利用される。前述の貸出制限テーブル４０に設定されたものと同様の指定が可能である。延長回数６５は、貸出の延長を許す回数を指定したもので、「０」は延長ができないことを示し、「３」は３回まで延長が可能であることを示す。延長日数６６は、新規貸出と延長とで貸出日数を変更する場合に指定するためのもので、ここの指定を省略すると、貸出日数６３に指定した日数と同じ日数が設定され、貸出日数６３に「１４」を指定した場合、延長の場合の貸出日数が１４日に設定される。
【００６７】
ここで、貸出条件テーブル６０中に示す組み合わせのうち、貸出種別コード４１が「０１：一般」、利用者区分コード４２が「００１：学生」、貸出区分コード６１が「０１：一般」、所在コード６２が「００１：開架」の場合を例に具体的に説明する。本例に示す組み合わせの場合、返却期限の算出には、貸出日数６３に指定した「１４」日が使用され、貸出は「３」回まで延長でき、延長時の貸出日数は、初回の貸出時と同じになる。
【００６８】
ここで判断手段１１ｅ12は、貸出制限テーブル４０における貸出可否チェック４４のフラグとして「０」を指定して貸出条件テーブル６０に基づき図書又は雑誌の貸出を可能とするかどうかの判断を行う場合、貸出条件テーブル６０を参照し、貸出種別コード、利用者区分コード、所在コード、及び貸出区分コードの組み合わせの中で貸出条件テーブル６０に登録されている組み合わせに対して図書又は雑誌の貸出を可能と判断することができる。
【００６９】
また、サーバ装置が有する貸出停止期間設定手段１１ｅ13は、貸出制限テーブル４０に設定されたペナルティフラグ４８が「０」に指定された場合、図書又は雑誌の延滞時に貸出制限が設定され、延滞した図書又は雑誌が利用者により返却された後に、その利用者に対して新規の貸出を停止するかどうか延滞日数に基づいて判断し、判断した結果、新規の貸出を停止すると判断された利用者に対し、延滞日数に応じた貸出停止期間を設定することができる。貸出可能冊数制限手段１１ｅ14は、貸出制限テーブル４０に設定されたペナルティフラグ４８が「０」に指定された場合、図書又は雑誌の延滞時に貸出制限が設定され、利用者に対して新規に図書又は雑誌を貸し出す際に、その利用者が返却期限を過ぎた図書又は雑誌を保有している場合に、その利用者に対する所定期間の貸出可能冊数を、延滞日数に応じて制限することができる。このようにペナルティの設定方法には、大きく２つあり、１つは延滞資料の返却後にペナルティが確定された場合における資料の新規貸出の停止、もう１つはペナルティ確定前に利用者が延滞資料を持っている場合における貸出制限である。
【００７０】
図７は、本発明に係わるペナルティコードテーブルの一例を示す図で、図中、７０はペナルティコードテーブルで、該ペナルティコードテーブル７０は、ペナルティレベル７１、新規貸出フラグ７２、ペナルティ期間７３、制限７４、ランクアップ期間７５、督促フラグ７６、督促文章７７とを有している。ペナルティレベル７１は、ペナルティのレベルで、「１」から設定され、その値が大きいほどペナルティによる制限を厳しく設定する。このペナルティのレベルは、資料の延滞日数に応じて設定され、本例によると、資料の延滞日数が「１〜６日間」の場合は、ペナルティレベル「１」、「７〜２９日間」の場合は、ペナルティレベル「２」、「３０〜８９日間」の場合は、ペナルティレベル「３」、「９０日以上」の場合、ペナルティレベル「４」に設定されている。ここで、ペナルティレベル「３」以上になると、督促メールを自動的に送信することができる。ただし、この督促メールを送信する場合、利用者の電子メールアドレスが登録されている必要がある。
【００７１】
新規貸出フラグ７２は、延滞中の資料がある場合に、新規に資料の貸出を許すかどうか示すためのもので、「０」を指定すると、新規貸出や貸出中の資料の延長ができない。「１」を指定すると、新規貸出や貸出中の資料の延長が可能となる。ペナルティ期間７３は、延滞資料が返却された後に、延滞日数に応じて何日間ペナルティを課すか設定するためのものである。制限７４は、ペナルティ期間７３の期間中に行う貸出冊数の制限内容を設定するためのもので、「０」は貸出停止、「１」以上は、通常の貸出冊数の何分の１かに制限するためのもので、設定された値が分母になる。例えば、通常の貸出冊数が２０冊の場合、「１」のときは１／１で２０冊まで貸出可能で、「２」のときは１／２で半分の１０冊まで貸出可能となる。ランクアップ期間７５は、延滞日数とペナルティレベルとの関係を示すもので、延滞期間がこの期間を過ぎると次のペナルティレベルになる日数を設定する。督促フラグ７６は、資料を延滞中の利用者に督促メールを送信するかどうか指定するためのもので、「０」を指定すると、督促メールを送信しない。「１」を指定すると、督促メールを送信する。督促文書７７は、督促メールを送信する場合の督促メールの内容を設定するためのもので、何も設定しないと、パラメータに予め設定された文字列が使用される。
【００７２】
サーバ装置１１が有するペナルティレベル設定手段１１ｅ15は、図書又は雑誌を延滞した利用者に対し延滞日数に応じたペナルティレベルを設定する手段であり、ペナルティ情報登録手段１１ｅ16は、ペナルティレベル設定手段１１ｅ15により設定されたペナルティレベルを含むペナルティ情報を利用者情報登録手段１１ｅ1により登録された利用者情報に含めて閲覧ＤＢ１２ｅに登録する手段である。また、督促メール送信手段１１ｅ1７は、図書又は雑誌を延滞中の利用者に対し、利用者に設定されたペナルティレベルに応じて、延滞中の図書又は雑誌の返却を督促するための電子メールを自動的に送信する手段である。ここで、図書館の分館機能を利用している場合、設定されたペナルティは、すべての館において共通に有効となる。
【００７３】
また、図書館員側クライアント装置１４は、閲覧ＤＢ１２ｅに登録された利用者情報及び目録ＤＢ１３に登録された目録情報に基づき図書又は雑誌の貸出返却処理を行うためのグラフィカルユーザインタフェイスを備えており、これにより図書館員は、容易な操作で貸出返却業務を行うことができる。
【００７４】
図８は、閲覧管理サブシステム１１ｅにおける貸出返却処理を行うための操作画面の一例を示す図で、図中、８０は貸出処理の操作画面で、該操作画面８０は、利用者情報８１、同じ貸出種別で貸出中の図書リスト８２、貸出処理中の図書リスト８３、貸出処理する図書の資料ＩＤ入力欄８４とを有している。
【００７５】
本例における操作画面８０は、貸出タグが選択された状態を示し、この操作画面８０に必要なデータを入力して貸出処理が実行される。まず、利用者証のバーコードを読み取ると、利用者情報８１が入力される。この際、現在貸出中の図書があれば、貸出中の図書リスト８２に表示される。次に、図書に貼付されたバーコードを読み取る、もしくは、資料ＩＤ入力欄８４に資料ＩＤを入力する。図書に貼付されたバーコードを読み取った場合、貸出処理中の図書リスト８３に表示される。このように、同じ利用者に対して他に貸し出す図書があれば、続けて資料ＩＤを読み込むようにする。
【００７６】
以上、本閲覧管理サブシステム１１ｅの貸出処理を中心に各実施形態を説明してきたが、本発明は、上記実施形態に限定されるものではなく、図書館それぞれの運用方針に合わせた各種形態に対応することができ、図書館それぞれに最適なシステムを提供することが可能である。また、本閲覧管理サブシステム１１ｅにおける貸出制限テーブル４０、貸出条件テーブル６０、ペナルティコードテーブル７０は、図２に示したコード表ＤＢ１２ｇにより管理され、サーバ装置１１は、他のＤＢと同様にコード表ＤＢ１２ｇにアクセスし、各種テーブルを参照することができる。また、本閲覧管理サブシステム１１ｅは、サーバ装置１１が停止したり、ネットワークが利用できない状況になった場合に、オフライン処理により対応することができる。オフラインの貸出処理は、利用者の利用者ＩＤや貸し出す資料の資料ＩＤを一時的なファイルに記憶しておき、返却処理は、返却された資料の資料ＩＤを一時的なファイルに記憶しておく。一時的なファイルに記憶されたこれらの情報は、システムが利用できる状態になったときに、ＤＢに登録される。ただし、情報をＤＢへ正確に反映させるために、この時の作業は必ず一台の図書館員側クライアント装置１４で行う必要がある。
【００７７】
図９は、閲覧管理サブシステム１１ｅにおける予約機能を実行するサーバ装置１１の構成例を示す図で、サーバ装置１１は、登録手段１１ｅ18、予約情報登録手段１１ｅ19、待ち順設定手段１１ｅ20、電子メール送信手段１１ｅ21、認証手段１１ｅ22とを有している。
【００７８】
サーバ装置１１が有する登録手段１１ｅ18は、利用者情報及び貸出情報を閲覧ＤＢ１２ｅに登録する手段であり、予約情報登録手段１１ｅ19は、利用者が所望する図書又は雑誌の貸出情報が前記閲覧データベースに登録され、かつ、その図書又は雑誌が貸出中である場合に、その貸出中の図書又は雑誌の予約を利用者側クライアント装置１５から受け付けて、受け付けた予約情報を閲覧ＤＢ１２ｅに登録する手段である。
【００７９】
また、予約情報登録手段１１ｅ19は、貸出中の図書又は雑誌の予約を図書館員側クライアント装置１４から受け付けて、受け付けた予約情報を閲覧ＤＢ１２ｅに登録することができ、図書館の利用者と同様に図書館員により予約を行うことができる。ここで、図書館員は、利用者と同様に一般予約をかけることができるとともに、資料の補修のために取り置きをしておきたい場合に、図書の所蔵や、雑誌の雑誌資料に対して業務予約として予約をかけることができる。この業務予約は、図書館員のみがかけることができる予約である。
【００８０】
待ち順設定手段１１ｅ20は、貸出中の図書又は雑誌に対する複数の予約を受け付けた場合に、予約を受け付けた順番に応じて待ち順を設定する手段である。また、電子メール送信手段１１ｅ21は、予約情報登録手段１１ｅ19により登録された予約情報に応じた図書又は雑誌が貸出可能な状態になった際に、予約情報を登録した利用者に対しその旨を通知するための電子メールを自動的に送信する手段である。ここで、電子メールの送信を行う場合、利用者の電子メールアドレスが予め登録されている必要がある。
【００８１】
また、サーバ装置１１は、図書館の利用者を認証する認証手段１１ｅ22を有しており、認証手段１１ｅ22により認証された利用者自身の貸出情報及び予約情報を閲覧ＤＢ１２ｅから抽出し、抽出した貸出情報及び予約情報に基づき利用者自身の利用状況に関する利用情報を生成し、生成した利用情報を利用者側クライアント装置１５に提示することができる。これにより利用者は、図書館における利用者自身の利用状況を確認することができる。
【００８２】
さらに、利用者側クライアント装置１５、図書館員側クライアント装置１４は、閲覧ＤＢ１２ｅに登録された貸出情報に基づき図書又は雑誌の予約の申し込みを受け付けるためのグラフィカルユーザインタフェイスを備えているため、図書館の利用者や図書館員は、容易な操作で図書又は雑誌の予約を行うことができる。
【００８３】
図１０は、閲覧管理サブシステム１１ｅにおける予約登録を行うための操作画面の一例を示す図である。図１０（Ａ）は、予約登録を行うための操作画面の一例で、図１０（Ｂ）は、予約登録した図書を一般予約するための操作画面の一例を示している。図書の予約者は、図１０（Ａ）に示す操作画面９０に予約したい図書の資料名のキーワードとして、本例では「アジア経済」を入力すると、該当する図書リスト９１が表示される。本例では、「アジア経済の展望」という図書を選択し、一般予約ボタン９２をクリックする。図１０（Ｂ）に示す操作画面１００には、選択した図書に関する予約者一覧１０１、その図書の所蔵一覧１０２が表示されている。予約者は、この操作画面１００で予約状況を確認することができる。本例では、予約をした順番に待ち順が設定されており、この予約者が予約登録した場合、待ち順は「２」に設定されることになる。予約者は、自分の予約者ＩＤを入力して、予約登録を行うことができる。
【００８４】
以上、本発明の図書館における閲覧管理システムにおける各機能を中心に各実施形態を説明してきたが、本発明は、この各機能を有する閲覧管理システムと同様に、コンピュータに閲覧管理システムとして機能させるためのプログラムとしての形態も可能である。
【００８５】
本発明による閲覧管理の機能を実現するためのプログラムやデータを記憶した記録媒体の実施形態を説明する。記録媒体としては、具体的には、ＣＤ−ＲＯＭ、光磁気ディスク、ＤＶＤ−ＲＯＭ、フロッピー（登録商標）ディスク、フラッシュメモリ、メモリカード、やメモリスティック及びその他各種ＲＯＭやＲＡＭ等が想定でき、これら記録媒体に上述した本発明の各実施形態のシステムの機能をコンピュータに実行させ、閲覧管理の機能を実現するためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明に関わる閲覧管理の機能を実行することができる。
【００８６】
【発明の効果】
本発明によると、図書又は雑誌の貸出返却処理や予約管理、利用者管理等の閲覧業務に関する機能を有機的に連携させ、かつ、図書館における利用者サービスの運営方針に合わせて各機能を効率的に提供することができる。
【００８７】
さらに、図書館における利用者サービスの規定を予め貸出規定としてデータベースに登録しておくことにより、その登録した貸出規定を参照して効率的に貸出業務を実行することができる。
【図面の簡単な説明】
【図１】  本発明の一実施形態に係わる図書館情報管理システムの全体構成を示す図である。
【図２】  本発明に係わる図書館情報管理システムにおけるデータベースと各サブシステムとの関係を説明するための図である。
【図３】  本発明の一実施形態に係わる図書館における閲覧管理サブシステムの構成を示す図である。
【図４】  閲覧管理サブシステムにおける貸出機能を実行するサーバ装置の構成例を示す図である。
【図５】  本発明に係わる貸出制限テーブルの一例を示す図である。
【図６】  本発明に係わる貸出条件テーブルの一例を示す図である。
【図７】  本発明に係わるペナルティコードテーブルの一例を示す図である。
【図８】  閲覧管理サブシステムにおける貸出返却処理を行うための操作画面の一例を示す図である。
【図９】  閲覧管理サブシステムにおける予約機能を実行するサーバ装置の構成例を示す図である。
【図１０】  閲覧管理サブシステムにおける予約登録を行うための操作画面の一例を示す図である。
【図１１】  図書館情報管理システムに要求される機能の概要を説明するための図である。
【符号の説明】
１０…図書館、１１…サーバ装置、１１ａ…発注受入サブシステム、１１ｂ…目録管理サブシステム、１１ｃ…雑誌管理サブシステム、１１ｄ…相互貸借サブシステム、１１ｅ…閲覧管理サブシステム、１１ｅ1…利用者情報登録手段、１１ｅ2…利用者ＩＤ認識手段、１１ｅ3…利用者情報検索手段、１１ｅ4…資料ＩＤ認識手段、１１ｅ5…目録情報検索手段、１１ｅ6…貸出情報生成手段、１１ｅ7…貸出情報登録手段、１１ｅ8…貸出管理手段、１１ｅ9…貸出制限設定手段、１１ｅ10…貸出条件設定手段、１１ｅ11…返却期限登録手段、１１ｅ12…判断手段、１１ｅ13…貸出停止期間設定手段、１１ｅ14…貸出可能冊数制限手段、１１ｅ15…ペナルティレベル設定手段、１１ｅ16…ペナルティ情報登録手段、１１ｅ17…督促メール送信手段、１１ｅ18…登録手段、１１ｅ19…予約情報登録手段、１１ｅ20…待ち順設定手段、１１ｅ21…電子メール送信手段、１１ｅ22…認証手段、１１ｆ…蔵書点検サブシステム、１１ｇ…図書検索サブシステム、１２…業務ＤＢ、１２ａ…購入依頼ＤＢ、１２ｂ…図書目録ＤＢ、１２ｃ…雑誌目録ＤＢ、１２ｄ…相互貸借ＤＢ、１２ｅ…閲覧ＤＢ、１２ｆ…点検ＤＢ、１２ｇ…コード表ＤＢ、１３…目録ＤＢ、１４…図書館員側クライアント装置、１５…利用者側クライアント装置、１６…検索ＤＢ、２０…国立情報学研究所、２１…ＮＡＣＳＩＳ―ＣＡＴ、３０…ネットワーク、４０…貸出制限テーブル、４１…貸出種別コード、４２…利用者区分コード、４３…貸出冊数、４４…貸出可否チェック、４５…貸出日数、４６…返却日付、４７…一覧表示、４８…ペナルティフラグ、４９…返却日変更フラグ、５０…予約可否、５１…ＯＰＡＣ表示、６０…貸出条件テーブル、６１…貸出区分コード、６２…所在コード、６３…貸出日数、６４…返却日付、６５…延長回数、６６…延長日数、７０…ペナルティコードテーブル、７１…ペナルティレベル、７２…新規貸出フラグ、７３…ペナルティ期間、７４…制限、７５…ランクアップ期間、７６…督促フラグ、７７…督促文章、８０…貸出処理の操作画面、８１…利用者情報、８２…貸出中の図書リスト、８３…貸出処理中の図書リスト、８４…資料ＩＤ入力欄、９０，１００…操作画面、９１…図書リスト、９２…一般予約ボタン、１０１…予約者一覧、１０２…所蔵一覧、１１０…雑誌管理機能、１１１…製本処理、１１２，１２１…支払処理、１１３…購入調査処理、１１４…発注処理、１１５…受入処理、１２０…発注受入機能、１３０…目録管理機能（基本機能）、１３１…ＮＡＣＳＩＳ−ＣＡＴの利用機能、１３２…目録作成処理、１３３…蔵書統計処理、１３４…配架処理、１４０…図書検索機能、１４１…目録検索処理（利用者）、１４２…貸出予約申請処理、１４３…文献複写申請処理、１５０…閲覧管理機能、１５１…利用者管理機能、１５２…貸出返却処理、１５３…予約管理機能、１５４…利用統計処理、１６０…蔵書点検機能、１６１…蔵書点検処理、１７０…相互貸借機能、１７１…ＮＡＣＳＩＳ−ＩＬＬの利用機能。
【図１】
0004270778.tif 000002
【図２】
0004270778.tif 000003
【図３】
0004270778.tif 000004
【図４】
0004270778.tif 000005
【図５】
0004270778.tif 000006
【図６】
0004270778.tif 000007
【図７】
0004270778.tif 000008
【図８】
0004270778.tif 000009
【図９】
0004270778.tif 000010
【図１０】
0004270778.tif 000011
【図１１】
0004270778.tif 000012